(57)【要約】【課題】任意のネットワークに接続しデータ通信可能なネットワーク接続装置において、通信状態表示用の専用パケットを送信する必要も無く、また、送信先端末も必要ない状態で現在の通信状態を把握でき、また、受信データ量の大小に関係なく一定のレベル表示が可能になるネットワーク接続状態表示装置を提供することを目的とする。【解決手段】接続したネットワーク上の情報を受信および送信する送受信処理回路１０２から抽出した情報データから、現在のデータ量を解析する解析結果判定回路１０３と、解析結果判定回路１０３の判定結果に応じて送受信処理回路１０２の出力結果を基に、通信状態用のデータに変換するための複数の通信状態データ変換回路１０５の１つを選択して切り替える切り替え回路１０４と、選択された通信状態データ変換回路１０５の出力を表示する通信データレベル表示回路１０６で構成する。【選択図】図１
2008228130.tif 000002
【特許請求の範囲】
【請求項１】
任意のネットワークに接続し、データ通信可能なネットワーク接続装置において、
接続したネットワーク上の情報を受信し、前記ネットワーク上の情報から、送受信データ数、損失データ数、および再送データ数等の通信情報を蓄積および解析する送受信処理手段と、
前記送受信処理手段から出力される前記通信情報から表示用通信状態データを生成する複数の通信状態データ変換手段と、
前記送受信処理手段から出力される前記通信情報の解析結果に基づき、表示する通信状態データの最適値を判定する解析結果判定手段と、
前記解析結果判定手段から出力される判定結果に基づき、複数の前記通信状態データ変換手段の１つに切り替える切り替え手段と、
前記切り替え手段により切り替えた前記通信状態データ変換手段の出力に応じて通信状態の最適値を表示する通信状態データ表示手段と、
を有し、
接続されているネットワークの通信状態を検出し、レベル表示することを特徴とするネットワーク接続表示装置。
【請求項２】
前記送受信処理手段は、接続されているネットワーク上に任意に存在している通信情報を基に、現在のデータ情報を受信する受信手段と、
前記通信情報に含まれる補足データを蓄積する補足データ蓄積手段と、
を有し、
前記受信手段で受信した前記現在のデータ情報と、前記データ蓄積手段に蓄積された前記補足データを基に、受信データ情報として出力することを特徴とする請求項１記載のネットワーク接続表示装置。
【請求項３】
前記補足データは、損失データ量、再送データ量のいずれかまたは両方であることを特徴とする請求項２記載のネットワーク接続表示装置。
【請求項４】
前記解析結果判定手段は、前記受信データ情報に含まれる前記通信情報と前記補足データの現在値の大小を判定するための判定基準値を作成する基準値作成手段と、
前記基準値作成手段で作成された判定基準値と、前記通信情報および前記補足データの比較を行う比較手段と、
前記通信情報に含まれる前記補足データの占める割合を解析する解析手段と、
前記比較手段の結果と前記解析手段の解析結果を基に、現在の通信状態の状況を所定の段階で判定を行う判定手段と、
を有し、
前記判定手段の結果を出力することを特徴とする請求項２記載のネットワーク接続表示装置。
【請求項５】
前記通信状態データ変換手段は、前記送受信処理手段から出力された前記受信データ情報から前記通信情報を抽出し蓄積する受信データ蓄積手段と、
前記受信データ情報から前記補足データを抽出し、所定の変換係数を作成する変換係数作成手段と、
前記受信データ蓄積手段と、前記変換係数作成手段で作成した前記変換係数により、前記受信データを表示用受信データに変換する表示用受信データ変換手段と、
を有し、
前記受信データ情報を前記表示用受信データに変換することを特徴とする請求項２記載のネットワーク接続表示装置。
【発明の詳細な説明】
【技術分野】
【０００１】
本発明はネットワーク接続の状態を表示するネットワーク接続状態表示装置に関するものである。
【背景技術】
【０００２】
従来、無線や有線のネットワークに接続され、ネットワークを介して情報を取得する情報端末などにおいて、ネットワークの接続状態を知る方法として、これまでネットワークに接続する端末の受信電波強度を段階的に表示する、または中継器（サーバー）に計測用の通信データを送信して中継器側で通信ロス状態を蓄積し、各端末に通信状態をフィードバックして表示する方法で現在のネットワークの接続状態を通知する方法等が一般的であった（例えば特許文献１参照）。
【０００３】
図６は従来のネットワーク接続状態表示装置の一般的な構成を示すブロック図である。
【０００４】
図６において、中継器６０１は送受信回路６０２とストレージ６０３を持つサーバなどネットワークを制御する装置であり、送受信アンテナ６０４を介し、無線により、ネットワーク上の全ての端末６０５の通信情報を管理する。
【０００５】
個々の端末６０５は、送受信アンテナ６０６、送受信回路６０７を経由してネットワーク上に接続され、ネットワークの通信状態を調べるために定期的に計測パケットを通信状態計測パケット作成回路６０８で作成し、中継器６０１に対して通信を行う。
【０００６】
中継器６０１では、受信した計測パケットから受信到達時間、およびエラー数を計測し、各端末６０５に対し応答を返す。
【０００７】
各端末６０５は、返信された計測パケット情報を通信状態表示回路６０９に入力し、取得した情報をそのまま表示する。
【０００８】
このように行うのが、従来の一般的なネットワーク接続状態表示方法である。
【特許文献１】特開２００１−２３７８８８号公報
【発明の開示】
【発明が解決しようとする課題】
【０００９】
しかしながら、上記従来のネットワーク接続状態表示方法では、計測用の通信情報をネットワーク上に送信したり、中継器など送信すべき端末が必要であったり、通信状態を把握するために通信状態表示用の専用パケットを送信するなどの定期的な通信が必要であり、少ないデータであってもネットワークの負担をかける可能性があること、または、応答待ちの必要性からリアルタイム性に欠けるなどの難点があった。
【００１０】
また、より接続状態の表示精度を向上させるためには、計測用通信情報を頻繁に送信する必要があるという課題があった。
【００１１】
また、受信データ量が少ない場合に通信状態がレベル表示されないという課題があった。
【００１２】
本発明は、通信状態表示用の専用パケットを送信する必要もなく、また送信先端末も必要ない状態で現在の通信状態を把握でき、また、受信データ量の大小に関係なく一定のレベル表示が可能になる、ネットワーク接続状態表示装置を提供することを目的とする。
【課題を解決するための手段】
【００１３】
上記課題を解決するために、本発明のネットワーク接続表示装置は、任意のネットワークに接続し、データ通信可能なネットワーク接続装置において、接続したネットワーク上の情報を受信し、前記ネットワーク上の情報から、送受信データ量、損失データ量、および再送データ量等の通信情報を蓄積および解析する送受信処理手段と、前記送受信処理手段から出力される前記通信情報から表示用通信状態データを生成する複数の通信状態データ変換手段と、前記送受信処理手段から出力される前記通信情報の解析結果に基づき、表示する通信状態データの最適値を判定する解析結果判定手段と、前記解析結果判定手段から出力される判定結果に基づき、複数の前記通信状態データ変換手段の１つに切り替える切り替え手段と、前記切り替え手段により切り替えた前記通信状態データ変換手段の出力に応じて通信状態の最適値を表示する通信状態データ表示手段と、を有し、接続されているネットワークの通信状態を検出し、レベル表示することを特徴としている。
【００１４】
また、本発明のネットワーク接続表示装置は、前記送受信処理手段は、接続されているネットワーク上に任意に存在している通信情報を基に、現在のデータ情報を受信する受信手段と、前記通信情報に含まれる補足データを蓄積する補足データ蓄積手段と、を有し、前記受信手段で受信した前記現在のデータ情報と、前記データ蓄積手段に蓄積された前記補足データを基に、受信データ情報として出力することを特徴としている。
【００１５】
また、本発明のネットワーク接続表示装置は、前記補足データは、損失データ量、再送データ量のいずれかまたは両方であることを特徴としている。
【００１６】
また、本発明のネットワーク接続表示装置は、前記解析結果判定手段は、前記受信データ情報に含まれる前記通信情報と前記補足データの現在値の大小を判定するための判定基準値を作成する基準値作成手段と、前記基準値作成手段で作成された判定基準値と、前記通信情報および前記補足データの比較を行う比較手段と、前記通信情報に含まれる前記補足データの占める割合を解析する解析手段と、前記比較手段の結果と前記解析手段の解析結果を基に、現在の通信状態の状況を所定の段階で判定を行う判定手段と、を有し、前記判定手段の結果を出力することを特徴としている。
【００１７】
また、本発明のネットワーク接続表示装置は、前記通信状態データ変換手段は、前記送受信処理手段から出力された前記受信データ情報から前記通信情報を抽出し蓄積する受信データ蓄積手段と、前記受信データ情報から前記補足データを抽出し、所定の変換係数を作成する変換係数作成手段と、前記受信データ蓄積手段と、前記変換係数作成手段で作成した前記変換係数により、前記受信データを表示用受信データに変換する表示用受信データ変換手段と、を有し、前記受信データ情報を前記表示用受信データに変換することを特徴としている。
【発明の効果】
【００１８】
本発明は、ネットワーク上の情報データに含まれる送受信データ、再送データ、損失データなどの通信情報データから、現状の通信状態を解析し、変換係数を作成し、自動演算処理を行うことにより、通信状態表示用の専用パケットを送信する必要も無く、また送信先端末も必要ない状態で現在の通信状態を把握することが可能になる。
【００１９】
また、変換係数処理を行うことにより、受信データ量の大小に関係なく一定のレベル表示が可能になる。
【発明を実施するための最良の形態】
【００２０】
本発明の実施の形態について以下図を用いて説明する。
【００２１】
（実施の形態１）
図１は、本発明の一実施の形態のネットワーク接続表示装置の構成を示すブロック図である。
【００２２】
図１において、ネットワーク接続用の送受信アンテナ１０１から取得したネットワーク上の情報は、送受信処理回路１０２に受信データとして入力される。
【００２３】
送受信処理回路１０２で受信した受信データは蓄積され、後述する処理を行った後、切り替え回路１０４に出力される一方で、送受信処理回路１０２では、蓄積したネットワーク情報に含まれる補足データ（損失データ量、再送データ量など）を抽出し、所定の処理を行った後の処理データを、解析結果判定回路１０３に出力する。
【００２４】
解析結果判定回路１０３では、送受信処理回路１０２で処理された処理データを基に、切り替え回路１０４に送る切り替え信号１０８を作成する。
【００２５】
切り替え回路１０４では、後段の複数用意された通信状態データ変換回路１０５の中から、解析結果判定回路１０３で作成された切り替え信号１０８に応じて、送受信処理回路１０２から出力された受信データを送るべき通信状態データ変換回路１０５の１つを選択し、切り替えを行う。
【００２６】
選択された通信状態データ変換回路１０５では、送受信処理回路１０２から入力された受信データ情報から得られるデータ量と、受信データ情報に含まれる補足データ量との関係から任意の基準値を作成し、作成した基準値と受信データの関係を基に、通信レベル表示用データへデータ変換を行い、通信データレベル表示回路１０６に出力する。
【００２７】
通信データレベル表示回路１０６では、選択された通信状態データ変換回路１０５から出力された通信レベル表示用データに、ユーザーに見せるためのフィルタリング処理を行い、表示回路１０７に出力し表示する。
【００２８】
これにより、現在のネットワーク上の通信状態をネットワーク上に存在する通信情報から解析および所定の処理を行い判定することで、専用パケットデータを送信することもなく、リアルタイムに表示することが可能になる。
【００２９】
図２から図５は図１のブロック図中に記載した各回路の詳細を示したブロック図である。
【００３０】
以下にこれらのブロック図を用いて、ネットワーク接続表示装置の構成および動作について、各ブロックごとに説明する。
【００３１】
図２は送受信処理回路１０２を示すブロック図である。
【００３２】
図２において、送受信アンテナ１０１から入力されたネットワーク情報を受信回路２０１で受信データとして受信し、受信データ中に含まれるパケットデータを抽出するパケットデータ蓄積回路２０２と、受信データ中に含まれている補足データ（損失データ量、再送データ量など）を抽出する補足データ蓄積回路２０３に分解して蓄積する。
【００３３】
パケットデータ蓄積回路２０２で蓄積した受信データ（正常に受信されたデータ）は、受信サイズデータ作成回路２０４で、受信データをデータ内容に無関係な送受信されている実際のサイズである受信サイズデータに変換する。
【００３４】
受信サイズデータ作成回路２０４で作成された受信サイズデータは、切り替え回路１０４に出力される。
【００３５】
一方、補足データ蓄積回路２０３で抽出された補足データは、解析結果判定回路１０３に入力される。
【００３６】
図３は解析結果判定回路１０３を示すブロック図である。
【００３７】
図３において、補足データ蓄積回路２０３で抽出された補足データ量（損失データ量、再送データ量など）の大きさを判断するため、その閾値となる基準値を作成する基準値作成回路３０１の出力と、補足データ蓄積回路２０３の出力は比較回路３０２に入力され、比較回路３０２で比較された結果が解析回路３０３に入力される。
【００３８】
解析回路３０３では、入力された補足データ量の大きさを作成した基準値と比較して大小レベルを判定し、その大小レベル判定結果が補足データ蓄積回路２０３の出力とともに受信データ判定回路３０４に入力される。
【００３９】
受信データ判定回路３０４では、補足データ蓄積回路２０３の出力と、解析回路３０３で解析した補足データの基準値に対する大小レベル判定結果を用い、現在のネットワークの状況を、大小レベル判定結果に基づいて、受信データの受信状況を判定し、判定結果を基に、切り替え回路１０４に送る切り替え信号１０８を作成し、切り替え回路１０４に入力する。
【００４０】
前述のように、切り替え回路１０４では、複数の通信状態データ変換回路１０５の中から、切り替え信号１０８に応じて、送受信処理回路１０２から出力された受信データを送るべき通信状態データ変換回路１０５の１つを選択し、切り替えを行う。
【００４１】
図４は通信状態データ変換回路１０５を示すブロック図である。
【００４２】
図４において、送受信処理回路１０２から切り替え回路１０４を経由して出力された受信サイズデータを受信データ蓄積回路４０１でそのまま一旦蓄積するとともに、入力された受信サイズデータから変換係数作成回路４０２で受信サイズデータの重み付け係数を作成する。
【００４３】
受信データ蓄積回路４０１で蓄積した受信サイズデータと、変換係数作成回路４０２で作成した重み付け係数は表示用データ変換回路４０３に入力される。
【００４４】
表示用データ変換回路４０３では、入力された受信サイズデータに、入力された重み付け係数を基に所定の演算処理を実施することで、表示用の通信レベル表示用データを作成し、通信データレベル表示回路１０６に出力し、ユーザーに見せるためのフィルタリング処理を行い、さらに表示回路１０７に出力し、図示しない表示装置に通信レベルを表示する。
【００４５】
図５は本発明のネットワーク接続表示装置の具体的な動作手順について説明する動作手順説明図である。
【００４６】
ネットワーク接続表示装置が接続されているネットワークにおいて、手順（１）に示すネットワーク情報（同図ではＮｅｔｗｏｒｋＩｎｆｏで表示）を検出した場合、送受信処理回路１０２において、手順（２）に示すように、受信データ部（図ではＮｅｔｗｏｒｋＤａｔａで表示）と補足データ部（図ではＳｕｂＤａｔａで表示）にそれぞれの情報ごとに分割、抽出を行う。
【００４７】
手順（２）のＮｅｔｗｏｒｋＤａｔａは正常に送受信された情報パケット、ＳｕｂＤａｔａは通常の情報パケット以外の再送パケット、衝突パケットなどを示す。
【００４８】
受信サイズデータ作成回路２０４で、受信したそれぞれのデータを、手順（３）に示すように、サイズデータ（同図ではＤａｔａＳｉｚｅＡ、ＳｕｂＤａｔａＳｉｚｅＢとして表示）に変換し出力する。
【００４９】
送受信処理回路１０２で抽出されたそれぞれのデータは、解析結果判定回路１０３により、手順（４）に示すように、基準値作成回路３０１で作成した任意の基準値（図５では仮にα１、β１、α２、β２）と比較回路３０２で大小比較判定され、取得した情報のデータ範囲を解析回路３０３で解析し、大小比較判定した結果を切り替え回路１０４に出力する。
【００５０】
通信状態データ変換回路１０５において、切り替え回路１０４を経由して入力されたデータは、受信データ蓄積回路４０１で手順（３）に示すように、変換されたそれぞれのデータをサイズデータとして蓄積し、また、切り替え回路１０４から入力されたデータを手順（５）に示すように、ネットワーク上の全体のデータに対する、通常の正常に送受信されたデータの比率を演算する。
【００５１】
また、変換係数作成回路４０２では、先に作成した任意の基準値（α１、β１、α２、β２）から、通信レベル表示用のレベル変換係数（同図では１００／ｎで表示）を作成し、表示用データ変換回路４０３で新たに表示用レベルデータを作成する（図５ではγ３＊（１００／ｎ）で表示）。
【００５２】
上記構成により、受信したデータサイズに応じて、データの変換係数を任意に作成し、演算処理することで、受信データ量の大小に関係なく、一定の通信レベル表示を実現することができる。
【産業上の利用可能性】
【００５３】
本発明は、通信状態表示用の専用パケットを送信する必要も無く、また送信先端末も必要ない状態で現在の通信状態を把握でき、また、受信データ量の大小に関係なく一定のレベル表示が可能になるネットワーク接続状態表示装置として有用である。
【図面の簡単な説明】
【００５４】
【図１】本発明の一実施の形態のネットワーク接続表示装置の構成を示すブロック図
【図２】本発明の一実施の形態のネットワーク接続表示装置の送受信処理回路の構成を示すブロック図
【図３】本発明の一実施の形態のネットワーク接続表示装置の解析結果判定回路の構成を示すブロック図
【図４】本発明の一実施の形態のネットワーク接続表示装置の通信状態データ変換回路の構成を示すブロック図
【図５】本発明の一実施の形態のネットワーク接続表示装置の具体的な動作手順を説明するための動作手順説明図
【図６】従来のネットワーク接続表示装置の構成を示すブロック図
【符号の説明】
【００５５】
１０１  送受信アンテナ
１０２  送受信処理回路
１０３  解析結果判定回路
１０４  切り替え回路
１０５  通信状態データ変換回路
１０６  通信データレベル表示回路
１０７  表示回路
２０１  受信回路
２０２  パケットデータ蓄積回路
２０３  補足データ蓄積回路
２０４  受信サイズデータ作成回路
３０１  基準値作成回路
３０２  比較回路
３０３  解析回路
３０４  受信データ判定回路
４０１  受信データ蓄積回路
４０２  変換係数作成回路
４０３  表示用データ変換回路
【図１】
2008228130.tif 000003
【図２】
2008228130.tif 000004
【図３】
2008228130.tif 000005
【図４】
2008228130.tif 000006
【図５】
2008228130.tif 000007
【図６】
2008228130.tif 000008